(57)【要約】      （修正有）【課題】被照射面の形状や大きさなどが異なっても、被照射面を均一的に照明可能な照明装置を提供する。【解決手段】照明装置１は、基板および基板の一面側に複数列に設けられた光源を有する発光体１５と、発光体１５に対向するように設けられて光源２２の光を配光制御するレンズ１６、１７と、レンズ１６、１７の出射光が照射される被照射面とレンズ１６、１７の配光中心軸との角度を検出するセンサー装置１８、１９と、センサー装置１８、１９の検出結果に応じて光源２２を列毎に調光制御する点灯装置２０と、少なくとも発光体１５、レンズ１６、１７およびセンサー装置１８、１９を配設する装置本体４と、を具備している。【選択図】図２
2017157500.tif 000002
【特許請求の範囲】
【請求項１】
基板およびこの基板の一面側に複数列に設けられた光源を有する発光体と；  この発光体に対向するように設けられ、前記光源の光を配光制御するレンズと；  このレンズの出射光が照射される被照射面と前記レンズの配光中心軸との角度を検出するセンサー装置と；  このセンサー装置の検出結果に応じて前記光源を列毎に調光制御する点灯装置と；  少なくとも前記発光体、前記レンズおよび前記センサー装置を配設する装置本体と；を具備していることを特徴とする照明装置。
【請求項２】
前記発光体は、前記光源が横方向および縦方向にそれぞれ複数列となるように設けられ、前記センサー装置は、被照射面の縦方向および横方向における被照射面と前記レンズの配光中心軸との角度を検出し、前記点灯装置は、前記センサー装置の検出結果に応じて前記光源を横方向および縦方向の列毎に調光制御することを特徴とする請求項１記載の照明装置。
【発明の詳細な説明】
【技術分野】
【０００１】
本発明の実施形態は、光源の照射方向を可変可能な照明装置に関する。
【背景技術】
【０００２】
例えば美術館の展示場においては、壁の一区画、特定の被照射物および被照射面などを均一に照明するプロファイルスポットライトが使用されている。このスポットライトは、例えば被照射面を斜め方向から照明することが多いため、スポットライトに近い被照射面の輝度が相対的に高く、スポットライトに遠い被照射面の輝度が相対的に低くなるという問題があった。このため、スポットライトは、現今、例えばフィルターや光学フィルムの積層体（光成形光学機器）を用いて被照射面への均一な光照射を達成しているものがある（例えば特許文献１参照。）。
【先行技術文献】
【特許文献】
【０００３】
【特許文献１】特表２０１５−５２２２０４号公報（第１０頁、第２図）
【発明の概要】
【発明が解決しようとする課題】
【０００４】
しかしながら、フィルターや光学フィルムの積層体を用いるスポットライトは、均一に照明する被照射面や被照射物が限定され、それらに対する汎用性がなくなるという欠点を有する。  
【０００５】
本発明の実施形態は、被照射面の形状や大きさなどが異なっても、斜め方向からも被照射面を均一的に照明可能な照明装置を提供することを目的とする。
【課題を解決するための手段】
【０００６】
本実施形態の照明装置は、発光体、レンズ、センサー装置、点灯装置および装置本体を有して構成される。発光体は、基板および光源を有してなる。光源は、基板の一面側に複数列に設けられている。  
【０００７】
レンズは、発光体に対向するように設けられている。レンズは、光源の光の配光を制御する。センサー装置は、レンズの出射光が照射される被照射面と、レンズの配光中心軸との角度を検出する。  
【０００８】
点灯装置は、センサー装置の検出結果に応じて光源を列毎に調光制御する。装置本体は、少なくとも発光体、レンズおよびセンサー装置を配設している。点灯装置は、装置本体に設けられてもよく、装置本体と別置されてもよい。
【発明の効果】
【０００９】
本実施形態の照明装置によれば、被照射面とレンズの配光中心軸との角度に応じて発光体の各列の光源が異なる調光レベルで点灯されることにより、被照射面に対して被照射面との照射距離に応じた光照射をすることができ、これにより、被照射面が均一的に照明されることが期待できる。
【図面の簡単な説明】
【００１０】
【図１】本発明の一実施形態を示す照明装置の概略斜視図である。
【図２】同上、照明装置の一部切り欠き概略側面図である。
【図３】同上、発光体の概略正面図である。
【図４】同上、照明装置の被照射面への光照射を示し、（ａ）は被照射面の側方側から見た説明図、（ｂ）は被照射面の正面側から見た説明図である。
【図５】同上、照明装置の被照射面への他の光照射を示し、（ａ）は被照射面の側方側から見た説明図、（ｂ）は被照射面の正面側から見た説明図である。
【図６】同上、照明装置と被照射面との関係を示す説明図である。
【図７】同上、点灯装置の概略ブロック図である。
【発明を実施するための形態】
【００１１】
以下、本発明の一実施の形態について、図面を参照して説明する。  
【００１２】
本実施形態の照明装置１は、図１に示すように、例えば天井に設けられた配線ダクト２に着脱されるスポットライトである。照明装置１は、その電源ケース３が配線ダクト２に取り付けられ、装置本体４がアーム５によって電源ケース３に吊り下げられている。アーム５は、装置本体４の両側部を挟み込む略コ字形に形成され、電源ケース３の一端側下面に左右方向に回転可能に取り付けられている。装置本体４は、その両側部がアーム５に固定可能に取り付けられているとともに、そのアーム取付部の間を回転軸として上下方向に回転可能に取り付けられている。したがって、照明装置１は、装置本体４が左右方向および上下方向に回転されて固定されることにより、ほぼ全方向に光を照射可能となっている。装置本体４およびアーム５は、例えばアルミダイカストにより形成されている。  
【００１３】
電源ケース３は、例えばアルミニウム（Ａｌ）からなり、長手方向の両側に側板６，７を有する略直方体の箱形に形成されている。一方の側板６は、平板形に形成され、他方の側板７は、横方向の中央部が縦方向に沿って半円柱状に膨出されている。そして、電源ケース３は、側板７に隣接してアーム５を回転可能に取り付けている。また、電源ケース３は、その上面側において、長手方向の一端側にプラグ８およびこのプラグ８を手動で回転させるための取付レバー９が設けられ、他端側に取付補助具１０が設けられている。電源ケース３は、プラグ８および取付補助具１０が配線ダクト２に挿入されて略９０°回転されることにより、配線ダクト２に係止されて取り付けられる。このとき、プラグ８は、配線ダクト２に配線された不図示の給電体に接触して外部の交流電源を入力可能となっている。  
【００１４】
装置本体４は、一端側４ａが他端側４ｂよりも径大の略円筒状に形成され、一端側４ａにカッター保持体１１およびレンズ保持体１２を備え、他端側４ｂに複数個の放熱フィン１３を有する放熱体１４を備えている。装置本体４は、一端側４ａのレンズ保持体１２から光を出射する。そして、図２に示すように、照明装置１を構成する発光体１５、レンズ１６，１７およびセンサー装置１８が装置本体４内に配設され、センサー装置１９および点灯装置２０が電源ケース３内に配設されている。  
【００１５】
発光体１５は、図３に示すように、基板２１、光源としてのＬＥＤチップ２２および透光性樹脂２３を有して形成されたＬＥＤモジュールからなる。基板２１は、例えば所定の厚さを有する円形のセラミクス板からなり、一面２１ａ側に多数個のＬＥＤチップ２２を実装している。ＬＥＤチップ２２は、例えば、フリップチップ形であり、青色光を放射するものであり、基板２１の横方向および縦方向にそれぞれ複数列に設けられている。そして、ＬＥＤチップ２２は、横方向の１個または複数個を１グループとして基板２１の一面２１ａ側に設けられた不図示の配線パターンにより電気接続されており、グルーブ毎に点灯可能に設けられている。  
【００１６】
基板２１の一面２１ａ側には、ＬＥＤチップ２２を包囲するように枠部２４が設けられている。枠部２４は、バンクや土手などとも称されており、例えばシリコーン樹脂からなり、所定の幅および高さを有する円筒体に形成されている。そして、枠部２４の内側に透光性樹脂２３が封入されてＬＥＤチップ２２などを封止している。透光性樹脂２３は、電気絶縁性を有する例えばシリコーン樹脂からなり、本実施形態では、青色光を黄色光に波長変換する不図示のＹＡＧ蛍光体を所定の濃度で含有している。透光性樹脂２３内でＬＥＤチップ２２から放射された青色光と、ＹＡＧ蛍光体で波長変換された黄色光とが混合（混色）されて、透光性樹脂２３の表面から出射される。すなわち、本実施形態の発光体１５は、白色光を放射する。発光体１５は、図２に示すように、レンズ１６，１７に放射光を入射可能に装置本体４の長手方向の略中央部内に設けられている。なお、発光体１５は、基板２１に表面実装型のＬＥＤ（パッケージ品）を多数個実装して形成してもよい。  
【００１７】
レンズ１６，１７は、略円筒状に形成されたレンズ保持体１２内に対向（正対）するように設けられている。レンズ１６，１７は、それぞれレンズ保持体１２の一端側および他端側に設けられ、所定の間隔に固定されている。そして、レンズ１６，１７は、それぞれ例えばガラスからなり、例えば平凸レンズに形成されている。  
【００１８】
レンズ保持体１２は、装置本体４の一端側４ａに取り付けられたカッター保持体１１に移動可能に取り付けられている。すなわち、レンズ保持体１２の外面側には、螺旋状のねじ２５が形成されており、カッター保持体１１の内面側には、ねじ２５が螺合する不図示のねじ部が形成されている。レンズ保持体１２は、レンズ１６，１７が発光体１５に対向するようにカッター保持体１１に設けられている。そして、レンズ保持体１２は、回転されることにより、カッター保持体１１内を直線的に移動して、発光体１５との距離が変化する。すなわち、レンズ保持体１２の回転操作に応じて、レンズ１６，１７と発光体１５との距離が可変される。  
【００１９】
発光体１５から放射された白色光は、レンズ１６に入射し、レンズ１６，１７で屈折されてレンズ１７から出射し、レンズ保持体１２の一端側開口から被照射面側に照射される。レンズ１６，１７は、屈折により発光体１５の放射光を配光制御する。レンズ１７の出射光は、レンズ保持体１２の回転操作により被照射面でのピントが合わされる。  
【００２０】
また、カッター保持体１１には、４個のフリートリミングカッター２６が設けられている。このフリートリミングカッター２６を上下左右に動かすことにより、レンズ１７の出射光の照射パターンが長方形や正四角形などの所望の形状に調整される。また、カッター保持体１１は、回転可能に装置本体４に設けられている。カッター保持体１１を回転させることにより、レンズ１７の出射光の照射パターンを回転させることができて、被照射面に対する照射パターンを調整可能となっている。  
【００２１】
センサー装置１８は、装置本体４の他端側４ｂの内部に配設されている。センサー装置１８は、装置本体４の鉛直方向（重力の作用方向）に対する傾斜角度を検出する傾斜センサー２７を設けている。そして、センサー装置１８は、傾斜センサー２７により検出された傾斜角度を電源コード２８の配線を介して点灯装置２０に送信するように形成されている。  
【００２２】
また、センサー装置１９は、電源ケース３の一端側の内部に設けられ、電源ケース３の長手方向に対するアーム５の回転角度Ｋ１（図１に示す。）を検出する角度センサー２９を設けている。角度センサー２９は、電源ケース３内でアーム５の回転を検出する。すなわち、角度センサー２９は、例えば、電源ケース３の長手方向と装置本体４の長手方向（照射方向）とが同一方向のときを基準（９０°）として、装置本体４の鉛直方向に対する水平方向の左右の回転角度を検出する。そして、センサー装置１９は、角度センサー２９により検出された回転角度Ｋ１を不図示の信号線を介して点灯装置２０に送信するように形成されている。  
【００２３】
今、図４に示すように、電源ケース３は、鉛直方向に起立している壁面３０の被照射面３１の中心３１ａを通る縦方向に正対するとともに、その長手方向が壁面３０に直交するように設けられており、装置本体４は、被照射面３１を上方側から被照射面３１の中心３１ａに向かって光照射するものとする。すなわち、レンズ１６，１７の配光中心軸３２が被照射面３１の中心３１ａに入射するものとする。ここで、レンズ１６，１７の配光中心軸３２は、各レンズ１６，１７の中心を通る直線の延長線を意味する。  
【００２４】
壁面３０は、鉛直方向に起立しているので、センサー装置１８の傾斜センサー２７が検出する傾斜角度が被照射面３１の縦方向とレンズ１６，１７の配光中心軸３２との角度Ｋ２となる。また、センサー装置１９の角度センサー２９は、９０°の回転角度Ｋ１を検出する。なお、本実施形態では、角度センサー２９は、その検出する回転角度Ｋ１が被照射面３１の横方向とレンズ１６，１７の配光中心軸３２との角度となるように設定している。  
【００２５】
被照射面３１と装置本体４との距離は、被照射面３１の縦方向において、配光中心軸３２よりも上側に行くほど近くなり、下側に行くほど遠くなっている。また、被照射面３１の横方向においては、左側または右側がほぼ同等となっている。そして、レンズ１７の出射光は、カッター保持体１１の制御により、本実施形態では、図４（ｂ）に示すように、被照射面３１において縦方向に長い長方形の照射パターン３３を形成している。照射パターン３３は、被照射面３１の中心３１ａを通る縦方向で左右対称に形成され、被照射面３１と装置本体４との遠近に応じて被照射面３１の中心３
１ａよりも上側が下側よりも小さな領域に形成されている。  
【００２６】
また、電源ケース３は、その長手方向が壁面３０に直交するように設けられていても、壁面３０の被照射面３１の中心３１ａを通る縦方向に正対していなく、装置本体４は、被照射面３１を横方向の斜め上方側から被照射面３１の中心３１ａに向かって光照射することがある。すなわち、被照射面３１とレンズ１６，１７の配光中心軸３２との角度は、被照射面３１の縦方向においては、図５（ａ）に示すように、角度Ｋ２であり、被照射面３１の横方向においては、図５（ｂ）に示すように、角度Ｋ１となることがある。角度Ｋ１は、センサー装置１９の角度センサー２９によって検出され、角度Ｋ２は、センサー装置１８の傾斜センサー２７によって検出される。  
【００２７】
検出された角度Ｋ１，Ｋ２は、点灯装置２０に送信される。図２において、点灯装置２０は、その入力側がプラグ８に接続され、その出力側が電源コード２８の配線を介して発光体１５に接続されている。点灯装置２０は、入力した交流電源を直流電源に変換し、所定の直流電流を発光体１５のＬＥＤチップ２２に供給して、ＬＥＤチップ２２を点灯するように形成されている。また、点灯装置２０は、センサー装置１８，１９の検出結果に応じて、ＬＥＤチップ２２をグループ毎に調光点灯するように形成されている。  
【００２８】
本実施形態の点灯装置２０は、図７に示すように、例えは、整流回路３４、力率改善回路３５、制御用電源回路３６、電力変換回路３７、制御部３８および設定部３９を有して構成されている。
【００２９】
整流回路３４は、商用交流電源Ｖｓに接続されており、商用交流電源Ｖｓから入力した交流電圧を整流電圧に変換する。整流回路３４は、例えば４個の整流素子を組み合わせたダイオードブリッジの全波整流器である。力率改善回路３５は、例えば昇圧チョッパ回路であり、制御部３８の制御により、電源周波数の整数倍の高調波の発生を抑制した一定電圧（直流電圧）を出力する。また、力率改善回路３５は、整流回路３４から出力された整流電圧（脈流電圧）を正弦波の半波波形に近づけるように制御されることにより力率を改善する。
【００３０】
制御用電源回路３６は、力率改善回路３５から出力された直流電圧を制御部３８の動作電圧に変換して制御部３８に供給するように形成されている。電力変換回路３７は、例えば降圧チョッパ回路を有してなり、制御部３８の制御により、発光体１５のＬＥＤチップ２２に、そのグループ毎に、それぞれ所定の直流電流を供給するように形成されている。ＬＥＤチップ２２は、供給された直流電流に応じて調光点灯する。
【００３１】
制御部３８は、不図示のマイコンを有してなり、制御用電源回路３６からの電力供給に応じて動作し、力率改善回路３５および電力変換回路３７を制御するように形成されている。制御部３８は、センサー装置１８，１９に接続されており、センサー装置１８から傾斜センサー２７が検出した傾斜角度Ｋ２を入力し、センサー装置１９から角度センサー２９が検出した回転角度Ｋ１を入力する。そして、制御部３８は、入力した角度Ｋ１，Ｋ２に応じて電力変換回路３７を制御し、ＬＥＤチップ２２を列毎に調光制御するように形成されている。すなわち、制御部３８は、傾斜角度Ｋ２に応じてＬＥＤチップ２２を横方向の列毎に調光制御し、回転角度Ｋ１に応じてＬＥＤチップ２２を縦方向の列毎に調光制御するように形成されている。
【００３２】
また、制御部３９は、設定部３９に接続されている。設定部３９は、例えば、電源ケース３の側板６に露出するように設けられている。設定部３９は、各種の設定値を制御部３９に入力するものであり、例えば被照射面３１の傾き角度Ｋ３を入力する。
【００３３】
照明装置１は、図６に示すように、例えば鉛直方向から傾いた被照射物を光照射することがある。この被照射面３１の鉛直方向に対する傾き角度Ｋ３を制御部３８に入力する。傾き角度Ｋ３は、例えば角度計を用いて測定してもよく、装置本体４に例えば画像センサーを設けて計測してもよい。制御部３８は、傾斜センサー２７が検出した傾斜角度Ｋ２に傾き角度Ｋ３を加減算し、この加減算した角度を被照射面３１の縦方向とレンズ１６，１７の配光中心軸３２の角度に設定し、この設定した角度に応じてＬＥＤチップ２２を横方向の列毎に調光制御する。
【００３４】
また、被照射物は、図６における鉛直方向と直交する水平方向に対して傾いて設けられていることがある。この場合には、制御部３８は、角度センサー２９が検出した回転角度Ｋ１に被照射面３１の水平方向に対する傾き角度を加減算し、この加減算した角度を被照射面３１の横方向とレンズ１６，１７の配光中心軸３２との角度に設定し、この設定した角度に応じてＬＥＤチップ２２を縦方向の列毎に調光制御する。
【００３５】
次に、本発明の実施形態の作用について説明する。
【００３６】
点灯装置２０に商用交流電源Ｖｓが供給されると、点灯装置２０が動作し、点灯装置２０から電源コード２８の配線を介して所定の電流が発光体１５に供給される。発光体１５のＬＥＤチップ２２が点灯（発光）し、発光体１５から白色光が放射される。発光体１５の放射光は、レンズ１６，１７により配光制御され、レンズ保持体１２の一端側開口から所定の方向に出射されて被照射面３１を照明する。  
【００３７】
今、照明装置１は、図４に示すように、装置本体４の出射光が被照射面３１を縦方向の斜め上方から照射し、被照射面３１の中心３１ａにおいて横方向の左右両側の配光が対称となる照射パターン３３で被照射面３１を照射しているものとする。そして、レンズ１６，１７の配光中心軸３２が被照射面３１の中心３１ａに入射するものとする。このとき、センサー装置１９は、角度センサー２９が９０°の回転角度Ｋ１を検出し、センサー装置１８は、傾斜センサー２７が傾斜角度Ｋ２を検出するものとする。  
【００３８】
被照射面３１は、鉛直方向に沿っているので、被照射面３１の縦方向とレンズ１６，１７の配光中心軸３２との角度は、傾斜センサー２７が検出した傾斜角度Ｋ２となり、被照射面３１の横方向とレンズ１６，１７の配光中心軸３２との角度は、角度センサー２９が検出した９０°の回転角度Ｋ１となる。また、被照射面３１と装置本体４との距離は、被照射面３１の上部側が下部側よりも小さく、上部側から下部側に向かうにつれて次第に大きくなっている。  
【００３９】
点灯装置２０の制御部３８には、センサー装置１９から回転角度Ｋ１が入力され、センサー装置１８から傾斜角度Ｋ２が入力される。制御部３８は、傾斜角度Ｋ２に応じて電力変換回路３７を制御し、発光体１５のＬＥＤチップ２２を横方向の列毎に調光制御する。すなわち、図３において、ＬＥＤチップ２２は、本実施形態では基板２１の下方側から上方側に向かうにしたがい、横方向の列毎に、調光率が一定値ずつ減少される。例えば１列または２列毎に、調光率１００％から９５％、９０％、８５％と５％ずつ減少される。一定値は、被照射面３１の縦方向とレンズ１６，１７の配光中心軸３２との角度に応じて予め設定され、被照射面３１を縦方向で均一的に照射可能となる例えば１％〜２０％の所望値に設定される。一定値は、マイコンのプログラムに設定していてもよく、設定部３９から設定して制御部３８内の記憶部に記憶させてもよい。  
【００４０】
そして、制御部３８は、センサー装置１９の角度センサー２９が９０°の回転角度Ｋ１を検出しているときには、ＬＥＤチップ２２を縦方向の列毎に調光制御しない。  
【００４１】
ＬＥＤチップ２２から放射される青色光の光量は、ＬＥＤチップ２２の調光率（調光レベル）が高いほど大きい。透光性樹脂２３内は、青色光の光量が多い部位ほどＹＡＧ蛍光体により黄色光が生成される結果、基板２１の下方側から上方側に向かうにつれて青色光および黄色光の混色による白色光の光量が少なくなる。これにより、発光体１５の発光面である透光性樹脂２３の表面から放射する白色光は、基板２１の下方側から上方側に向かうにつれて次第に少なくなっていく。  
【００４２】
発光体１５から放射された白色光は、カッター保持体１１で照射パターン３３が設定され、レンズ保持体１２のレンズ１６，１７により配光が制御されてレンズ保持体１２の一端側開口から被照射面３１に向かって照射される。この装置本体４の出射光は、鉛直方向において、装置本体４の下方側から上方側に向かうにつれて次第に減少する光量となる。また、被照射面３１と装置本体４との距離は、被照射面３１の上部側が下部側よりも小さく、上部側から下部側に向かうにつれて次第に大きくなっているので、装置本体４の出射光が照射される被照射面３１の照射領域は、被照射面３１の縦方向において、被照射面３１の中心３１ａよりも下方側が上方側よりも大きくなる。  
【００４３】
また、装置本体４の出射光は、被照射面３１の縦方向において、被照射面３１の上方側から下方側に向かうにつれて次第に増加する光量で被照射面３１を照射する。すなわち、被照射面３１の中心３１ａよりも下方側の照射領域が上方側の照射領域よりも大きくても、下方側の照射領域には次第に増加する光量が照射される。これにより、被照射面３１の照射領域は、装置本体４の出射光により均一的に照射される。照射領域は、照射パターン３３となる。  
【００４４】
また、今、照明装置１は、図５に示すように、装置本体４の出射光が被照射面３１を縦方向の斜め上方から照射し、かつ被照射面３１を横方向の例えば左側から照射パターン３３で照射しているものとする。そして、レンズ１６，１７の配光中心軸３２が被照射面３１の中心３１ａに入射するものとする。このとき、センサー装置１８は、傾斜センサー２７が傾斜角度Ｋ２を検出し、センサー装置１９は、角度センサー２９が回転角度Ｋ１を検出するものとする。  
【００４５】
被照射面３１は、鉛直方向に沿っているので、被照射面３１の縦方向とレンズ１６，１７の配光中心軸３２との角度は、傾斜センサー２７が検出した傾斜角度Ｋ２となり、被照射面３１の横方向とレンズ１６，１７の配光中心軸３２との角度は、角度センサー２９が検出した回転角度Ｋ２となる。また、被照射面３１の縦方向と装置本体４との距離は、被照射面３１の上部側が下部側よりも小さく、上部側から下部側に向かうにつれて次第に大きくなっている。そして、被照射面３１の横方向と装置本体４との距離は、被照射面３１の横方向の左側が横方向の右側よりも小さく、左側から右側に向かうにつれて次第に大きくなっている。  
【００４６】
点灯装置２０の制御部３８には、センサー装置１８から傾斜角度Ｋ２が入力され、センサー装置１９から回転角度Ｋ１が入力される。制御部３８は、上述したように、傾斜角度Ｋ２に応じて発光体１５のＬＥＤチップ２２を横方向の列毎に調光制御する。すなわち、図３において、ＬＥＤチップ２２は、基板２１の下方側から上方側に向かうにしたがい、横方向の列毎に、調光率が一定値ずつ減少される。  
【００４７】
そして、制御部３８は、横方向の列毎におけるＬＥＤチップ２２のグループに対して、回転角度Ｋ１に応じて縦方向で所定値ずつあるいは所定割合（％）ずつ減少させるように制御する。例えばグループの縦方向の１列または２列毎に、横方向の列毎に設定した調光率から例えば５％ずつ減少させる。所定値は、被照射面３１の横方向とレンズ１６，１７の配光中心軸３２との角度に応じて予め設定され、被照射面３１の横方向を均一的に照射可能となる例えば１％〜２０％の所望値に設定される。所定値は、マイコンのプログラムに設定していてもよく、設定部３９から設定して制御部３８内の記憶部に記憶させてもよい。  
【００４８】
このように、制御部３８は、センサー装置１８，１９の検出結果に応じて、ＬＥＤチップ２２を横方向および縦方向の列毎に調光制御する。発光体１５は、その放射光（白色光）が基板２１の縦方向の下方側から上方側に向かうにつれて次第に減少していくとともに、基板２１の横方向の右側から左側に向かうにつれて次第に減少していく。発光体１５の放射光は、カッター保持体１１で照射パターン３３が設定され、レンズ保持体１２のレンズ１６，１７により配光が制御されてレンズ保持体１２の一端側開口から被照射面３１に向かって照射される。装置本体４からの出射光は、鉛直方向において、装置本体４の下方側から上方側に向かうにつれて次第に減少する光量となり、鉛直方向と直交する水平方向において、装置本体４の右側から左側に向かうにつれて次第に減少する光量となる。  
【００４９】
そして、被照射面３１の縦方向と装置本体４との距離は、被照射面３１の上部側から下部側に向かうにつれて次第に大きくなり、被照射面３１の横方向と装置本体４との距離は、被照射面３１の左側から右側に向かうにつれて次第に大きくなっている。これにより、装置本体４の出射光が照射される被照射面３１の照射領域は、被照射面３１の縦方向において、被照射面３１の中心３１ａよりも下方側が上方側よりも大きくなり、被照射面３１の横方向において、被照射面３１の中心３１ａよりも右側が左側よりも大きくなっている。  
【００５０】
装置本体４の出射光は、被照射面３１の縦方向において、被照射面３１の上方側から下方側に向かうにつれて次第に増加する光量で被照射面３１を照射し、被照射面３１の横方向において、被照射面３１の左側から右側に向かうにつれて次第に増加する光量で被照射面３１を照射する。被照射面３１の中心３１ａよりも下方側の照射領域が上方側の照射領域よりも大きく、同じく右側の照射領域が左側の照射領域よりも大きくても、下方側の照射領域および右側の照射領域には、それぞれ次第に増加する光量が照射される。これにより、被照射面３１の照射領域は、装置本体４の出射光により均一的に照射される。照射領域は、照射パターン３３となる。  
【００５１】
そして、被照射物は、図６に示すように、鉛直方向に起立する壁３０に対して傾斜されて設けられることがある。制御部３８は、傾斜センサー２７が検出した傾斜角度Ｋ２から被照射面３１の鉛直方向に対する傾き角度Ｋ３を加減算して、被照射面３１の縦方向とレンズ１６，１７の配光中心軸３２との角度を求め、この角度に応じてＬＥＤチップ２２を横方向の列毎に調光制御する。これにより、被照射面３１は、縦方向において、照明装置１により均一的に照射される。  
【００５２】
また、被照射物は、図６において鉛直方向と直交する水平方向に対して傾斜している場合がある。この場合、制御部３８は、角度センサー２９が検出した回転角度Ｋ１から被照射面３１の水平方向に対する傾き角度を加減算して、被照射面３１の横方向とレンズ１６，１７の配光中心軸３２との角度を求め、この角度に応じてＬＥＤチップ２２を縦方向の列毎に調光制御する。これにより、被照射面３１は、横方向において、照明装置１により均一的に照射される。  
【００５３】
このように、制御部３８は、装置本体４の出射光が照射される被照射面３１の縦方向および横方向と、レンズ１６，１７の配光中心軸３２とのそれぞれの角度に応じてＬＥＤチップ２２を横方向および縦方向の列毎に調光制御することにより、被照射面３１を均一的に照射可能である。したがって、フィルターや光成形光学機器などを用いることがないので、光照射される被照射面３１や被照射物の形状や大きさなどが限定されなく、被照射物などへの汎用性が向上する。  
【００５４】
本実施形態の照明装置１によれば、被照射面３１とレンズ１６，１７の配光中心軸３２との角度に応じて発光体１５の各列の光源としてのＬＥＤチップ２２が異なる調光率で点灯されるので、被照射面３１に対して被照射面３１との照射距離に応じた光照射をすることができ、これにより、被照射面３１を均一的に照明することができて被照射物などに対する汎用性が向上するという効果を有する。  
【００５５】
また、発光体１５は、光源としてのＬＥＤチップ２２が基板２１の横方向および縦方向にそれぞれ複数列となるように設けられていて、センサー装置１８，１９は、被照射面３１の縦方向および横方向における被照射面３１とレンズ１６，１７の配光中心軸３２との角度を検出し、点灯装置２０の制御部３８は、センサー装置１８，１９の検出結果に応じてＬＥＤチップ２２を横方向および縦方向の列毎に調光制御するので、光照射される被照射面３１を縦方向および横方向において均一的に照明することができるという効果を有する。  
【００５６】
なお、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００５７】
１…照明装置、  ４…装置本体、  １５…発光体、  １６，１７…レンズ、  １８，１９…セン
サー装置、  ２０…点灯装置、  ２１…基板、  ２２…光源としてのＬＥＤチップ
【図１】
2017157500.tif 000003
【図２】
2017157500.tif 000004
【図３】
2017157500.tif 000005
【図４】
2017157500.tif 000006
【図５】
2017157500.tif 000007
【図６】
2017157500.tif 000008
【図７】
2017157500.tif 000009